(57)【要約】【課題】踏み板の高さを任意に調整することができると共に、踏み板同士の高さも揃えることができ、種々の階段の用途に、柔軟に対応することができる無段階調整階段ユニットを提供すること。【解決手段】無段階調整階段ユニット１は、階段を形成する３つの踏み板４を、支柱３に対してそれぞれ昇降可能に配設してなる。第１踏み板４Ａ（第２踏み板４Ｂ）における一方端部４０１と第２踏み板４Ｂ（第３踏み板４Ｃ）における他方端部４０２とは、上下方向Ｈに重なって支柱３を共用して昇降可能である。第１踏み板４Ａ（第２踏み板４Ｂ）における分離部材４２を、本体部材４１から分離し、この本体部材４１を第２踏み板４Ｂ（第３踏み板４Ｃ）における本体部材４１と連結したときには、第１踏み板４Ａ（第２踏み板４Ｂ）と第２踏み板４Ｂ（第３踏み板４Ｃ）との上下位置を合わせることができる。【選択図】図４
2011042940.tif 000002
【特許請求の範囲】
【請求項１】
階段を形成する複数の踏み板を、支柱に対してそれぞれ昇降可能に配設してなる無段階調整階段ユニットであって、
上記複数の踏み板は、上記支柱に対する任意の上下位置において固定可能であり、
上記複数の踏み板のうちのいずれかである第１踏み板における歩行方向の一方端部と、該第１踏み板に隣接する他の第２踏み板における歩行方向の他方端部とは、上下方向に重なって、上記支柱を共用して昇降可能に配設してあり、
上記第１踏み板における歩行方向の一方端部は、該第１踏み板の本体部材に対して分離可能に取り付けた分離部材によって構成してあり、
該分離部材を上記本体部材から分離し、該本体部材を上記第２踏み板と連結したときには、上記第１踏み板と上記第２踏み板との上下位置を合わせることができるよう構成したことを特徴とする無段階調整階段ユニット。
【請求項２】
階段を形成する複数の踏み板を、支柱に対してそれぞれ昇降可能に配設してなる無段階調整階段ユニットであって、
上記複数の踏み板は、上記支柱に対する任意の上下位置において固定可能であり、
上記複数の踏み板のうちのいずれかである第１踏み板における歩行方向の一方端部と、該第１踏み板に隣接する他の第２踏み板における歩行方向の他方端部とは、上下方向に重なって、上記支柱を共用して昇降可能に配設してあり、
上記第１踏み板における歩行方向の一方端部は、該第１踏み板の本体部材に対して分離可能に取り付けた分離部材によって構成してあり、
該分離部材を、上記本体部材と同一面を形成する状態から該本体部材に対して段差状に下がった位置に付け替えたときには、上記第１踏み板と上記第２踏み板との上下位置を合わせることができるよう構成したことを特徴とする無段階調整階段ユニット。
【請求項３】
請求項１又は２において、上記支柱は、寸切りボルトから形成してあり、
上記踏み板のすべては、該踏み板の上下において、上記寸切りボルトに対して螺合するナットを固定することによって、上記支柱に対する任意の上下位置において固定可能であることを特徴とする無段階調整階段ユニット。
【請求項４】
請求項１〜３のいずれか一項において、歩行方向に対する左右の端部には、上記支柱を下側フレームと上側フレームとの間に上下方向に掛け渡してなる支持枠がそれぞれ設けてあり、
該支持枠には、歩行方向への手摺りが設けてあり、該手摺りは、上記支持枠に固定した複数の支柱稼動外管と、該複数の支柱稼動外管に対してそれぞれ挿通配置して上下に可動する複数の手摺り支柱部と、該複数の手摺り支柱部に対してそれぞれ角度が任意に変えられる継ぎ手を介して連結した手摺り本体部（グリップライン）とを有しており、
上記踏み板のすべては、歩行方向の一方端部の左右位置及び歩行方向の他方端部の左右位置において上記支柱に支持してあることを特徴とする無段階調整階段ユニット。
【請求項５】
請求項１〜４のいずれか一項において、心拍数計測用、リハビリ訓練用、又は住宅における段差緩和用のステップであることを特徴とする無段階調整階段ユニット。
【発明の詳細な説明】
【技術分野】
【０００１】
本発明は、階段を形成する複数の踏み板を、支柱に対してそれぞれ昇降可能に配設してなる無段階調整階段ユニットに関する。
【背景技術】
【０００２】
住宅、施設等の屋内側、屋外側のいずれにおいても、人が通行する箇所には、様々な段差が存在する。また、介護が必要になった人の介護を行う際には、歩行の障壁となる段差を低くするために、仮設の階段を設けることが考えられる。また、病院、施設等においては、リハビリ等の訓練の用途に、あるいは踏み台昇降後の心拍数を測定する用途にユニット状の階段が用いられている。
【０００３】
例えば、特許文献１の階段装置においては、床面から立設した一対の壁部に対して上下方向に移動可能な段部を設け、この段部を段部駆動機構によって駆動することが開示されている。この階段装置においては、壁部に対して段部駆動機構を設けることにより、階段装置を設置する際に、床面に段部駆動機構を配置するための空間を形成する必要をなくしている。
また、特許文献２の昇降用リハビリテーション装置においては、上下方向の高さ調節が可能で上面に踊り場を備えた昇降部と、上がり框用台又は階段等の訓練設備を取り替え可能に設置する受け板とを組み合わせることが開示されている。このリハビリテーション装置によれば、上がり框用台又は階段等の訓練設備を取り替えたときに、昇降部の高さ調整を容易に行うことができる。
【先行技術文献】
【特許文献】
【０００４】
【特許文献１】特開平１１−１８１９８３号公報
【特許文献２】特開２００６−３４６２３９号公報
【発明の概要】
【発明が解決しようとする課題】
【０００５】
しかしながら、階段を使用する用途は様々であり、従来の階段においては、このような様々な用途に対し、簡単な構造によって無段階に踏み板（踏み台）を調整する工夫はなされていない。特に、上下の踏み板の高さを調整することによって、２つの踏み板の高さを揃えることができる技術については、何ら開示されていない。
【０００６】
本発明は、かかる従来の問題点に鑑みてなされたもので、踏み板の高さを任意に調整することができると共に、踏み板同士の高さも揃えることができ、種々の階段の用途に、柔軟に対応することができる無段階調整階段ユニットを提供しようとするものである。
【課題を解決するための手段】
【０００７】
第１の発明は、階段を形成する複数の踏み板を、支柱に対してそれぞれ昇降可能に配設してなる無段階調整階段ユニットであって、
上記複数の踏み板は、上記支柱に対する任意の上下位置において固定可能であり、
上記複数の踏み板のうちのいずれかである第１踏み板における歩行方向の一方端部と、該第１踏み板に隣接する他の第２踏み板における歩行方向の他方端部とは、上下方向に重なって、上記支柱を共用して昇降可能に配設してあり、
上記第１踏み板における歩行方向の一方端部は、該第１踏み板の本体部材に対して分離可能に取り付けた分離部材によって構成してあり、
該分離部材を上記本体部材から分離し、該本体部材を上記第２踏み板と連結したときには、上記第１踏み板と上記第２踏み板との上下位置を合わせることができるよう構成したことを特徴とする無段階調整階段ユニットにある（請求項１）。
【０００８】
第２の発明は、階段を形成する複数の踏み板を、支柱に対してそれぞれ昇降可能に配設してなる無段階調整階段ユニットであって、
上記複数の踏み板は、上記支柱に対する任意の上下位置において固定可能であり、
上記複数の踏み板のうちのいずれかである第１踏み板における歩行方向の一方端部と、該第１踏み板に隣接する他の第２踏み板における歩行方向の他方端部とは、上下方向に重なって、上記支柱を共用して昇降可能に配設してあり、
上記第１踏み板における歩行方向の一方端部は、該第１踏み板の本体部材に対して分離可能に取り付けた分離部材によって構成してあり、
該分離部材を、上記本体部材と同一面を形成する状態から該本体部材に対して段差状に下がった位置に付け替えたときには、上記第１踏み板と上記第２踏み板との上下位置を合わせることができるよう構成したことを特徴とする無段階調整階段ユニットにある（請求項２）。
【発明の効果】
【０００９】
第１の発明の無段階調整階段ユニットにおいては、複数の踏み板を、支柱に対する任意の上下位置において固定可能としている。これにより、任意の高さの段差に対して、複数の踏み板の高さを任意に調整することができる。また、利用者の身長等の体型に合わせて、複数の踏み板の高さを任意に調整することができる。
【００１０】
また、本発明においては、踏み板における構造上の工夫により、踏み板同士の高さを合わせることができるようにしている。具体的には、第１踏み板における歩行方向の一方端部と、第２踏み板における歩行方向の他方端部とは、上下方向に重なって、支柱を共用して昇降可能に配設してある。また、第１踏み板における歩行方向の一方端部は、第１踏み板の本体部材に対して分離可能に取り付けた分離部材によって構成してある。
【００１１】
この分離部材は、通常は（１つの踏み板によって１段の階段を形成する場合には）、本体部材と横方向に並んで同一面を形成している。このとき、本体部材と分離部材とによって、踏み板の歩行方向における奥行き寸法を適切に確保することができる。
これに対し、第１踏み板と第２踏み板との上下位置を合わせる場合には、第１踏み板における分離部材を、本体部材から分離し、この本体部材を第２踏み板と連結する。これにより、第１踏み板と第２踏み板との高さを揃えて、これらの踏み板による歩行方向における奥行き寸法を長くすることができる。
【００１２】
それ故、第１の発明の無段階調整階段ユニットによれば、踏み板の高さを任意に調整することができると共に、踏み板同士の高さも揃えることができ、種々の階段の用途に、柔軟に対応することができる。
【００１３】
第２の発明の無段階調整階段ユニットにおいては、第１踏み板と第２踏み板との上下位置を合わせる場合には、第１踏み板における分離部材を、本体部材から一旦分離し、この本体部材に対して段差状に下がった位置に付け替える。このとき、第１踏み板においては、本体部材の一方端部であって分離部材の上方には、配置スペースが形成される。これにより、第１踏み板と第２踏み板との上下位置を合わせる場合には、第１踏み板における上記配置スペースに対して、第２踏み板における歩行方向の他方端部を上方から配置することができる。そして、第１踏み板と第２踏み板との高さを揃えたときには、これらの踏み板による歩行方向における奥行き寸法を長くすることができる。
その他は、第１の発明と同様である。
【００１４】
それ故、第２の発明の無段階調整階段ユニットによっても、踏み板の高さを任意に調整することができると共に、踏み板同士の高さも揃えることができ、種々の階段の用途に、柔軟に対応することができる。
【図面の簡単な説明】
【００１５】
【図１】実施例１における、無段階調整階段ユニットの全体を示す正面図。
【図２】実施例１における、無段階調整階段ユニットの全体を示す側面図。
【図３】実施例１における、無段階調整階段ユニットを示す平面図。
【図４】実施例１における、第２踏み板と第３踏み板との高さを揃えた状態の無段階調整階段ユニットを示す正面図。
【図５】実施例１における、第２踏み板を最も高くした状態の無段階調整階段ユニットを示す正面図。
【図６】実施例２における、無段階調整階段ユニットを示す正面図。
【発明を実施するための形態】
【００１６】
上述した無段階調整階段ユニットに係る第１、第２の発明における好ましい実施の形態につき説明する。
第１、第２の発明において、上記支柱は、寸切りボルトから形成してあり、上記踏み板のすべては、該踏み板の上下において、上記寸切りボルトに対して螺合するナットを固定することによって、上記支柱に対する任意の上下位置において固定可能であることが好ましい（請求項３）。
この場合には、寸切りボルトに対して踏み板を上下させ、踏み板の上下から寸切りボルトに対してナットを螺合することによって、極めて簡単に踏み板を固定することができる。また、寸切りボルトを用いることにより、踏み板を昇降させることができる支柱を極めて簡単に構成することができる。
【００１７】
また、歩行方向に対する左右の端部には、上記支柱を下側フレームと上側フレームとの間に上下方向に掛け渡してなる支持枠がそれぞれ設けてあり、該支持枠には、歩行方向への手摺りが設けてあり、該手摺りは、上記支持枠に固定した複数の支柱稼動外管と、該複数の支柱稼動外管に対してそれぞれ挿通配置して上下に可動する複数の手摺り支柱部と、該複数の手摺り支柱部に対してそれぞれ角度が任意に変えられる継ぎ手を介して連結した手摺り本体部（グリップライン）とを有しており、上記踏み板のすべては、歩行方向の一方端部の左右位置及び歩行方向の他方端部の左右位置において上記支柱に支持してあることが好ましい（請求項４）。
この場合には、各支柱稼動外管に対して各手摺り支柱部を上下に可動させて、手摺り本体部の高さ及び角度を調整することができる。そのため、複数の踏み板の高さに応じて、手摺り本体部によるグリップラインの高さ及び角度を容易に調整することができる。
【００１８】
また、上記無段階調整階段ユニットは、心拍数計測用、リハビリ訓練用、又は住宅における段差緩和用のステップとすることができる（請求項５）。
無段階調整階段ユニットは、その構造が簡単であり、病院、施設等において、踏み台昇降を行った後の心拍数を計測する際に、あるいは介護者のリハビリ訓練を行う際に、極めて低コストで導入することができる。また、無段階調整階段ユニットは、住宅における段差を緩和させる際にも、極めて低コストで導入することができる。
なお、無段階調整階段ユニットを心拍数計測用に用いる場合には、最上段の踏み板に隣接して、踊り場を設けることができる。
【実施例】
【００１９】
以下に、本発明の無段階調整階段ユニットにかかる実施例につき、図面を参照して説明する。
（実施例１）
本例の無段階調整階段ユニット１は、図１〜図３に示すごとく、階段を形成する複数の踏み板４を、支柱３に対してそれぞれ昇降可能に配設してなる。
本例においては、３つの踏み板４が、支柱３に対して取り付けてあり、各踏み板４は、支柱３に対する任意の上下位置において固定可能である。
【００２０】
図１に示すごとく、３つの踏み板４において、最も下側に位置させる第１踏み板４Ａにおける歩行方向Ｌの一方端部４０１と、第１踏み板４Ａに隣接する第２踏み板４Ｂにおける歩行方向Ｌの他方端部４０２とは、上下方向Ｈに重なって、支柱３を共用して昇降可能であり、第２踏み板４Ｂにおける歩行方向Ｌの一方端部４０１と、第２踏み板４Ｂに隣接して最も上側に位置させる第３踏み板４Ｃにおける歩行方向Ｌの他方端部４０２とは、上下方向Ｈに重なって、支柱３を共用して昇降可能である。
また、第１踏み板４Ａにおける歩行方向Ｌの他方端部４０２と、第３踏み板４Ｃにおける歩行方向Ｌの一方端部４０１とは、それぞれ支柱３に対して昇降可能である。
【００２１】
図１、図４に示すごとく、本例の第１踏み板４Ａ、第２踏み板４Ｂ及び第３踏み板４Ｃは、いずれもその歩行方向Ｌの一方端部４０１が、本体部材４１に対して分離可能に取り付けた分離部材４２によって構成してある。
そして、図４に示すごとく、無段階調整階段ユニット１は、第１踏み板４Ａにおける分離部材４２を本体部材４１から分離し、この本体部材４１を第２踏み板４Ｂにおける本体部材４１と連結したときには、第１踏み板４Ａと第２踏み板４Ｂとの上下位置を合わせることができ、また、第２踏み板４Ｂにおける分離部材４２を本体部材４１から分離し、この本体部材４１を第３踏み板４Ｃにおける本体部材４１と連結したときには、第２踏み板４Ｂと第３踏み板４Ｃとの上下位置を合わせることができるよう構成してある。
【００２２】
図１、図４に示すごとく、本例の無段階調整階段ユニット１は、歩行方向Ｌに対する左右に支持枠２を配設し、各支持枠２は、下部フレーム２１と上部フレーム２２との間に複数本（本例では４本）の支柱３を掛け渡して構成されている。各支柱３は、寸切りボルトから形成してある。踏み板４のすべては、踏み板４の上下において、支柱３としての寸切りボルトに対して螺合するナット３１を固定することによって、支柱３に対する任意の上下位置において固定可能である。図２、図３において、左右方向を矢印Ｗで示す。
【００２３】
各支持枠２には、歩行方向Ｌへの手摺り５が設けてある。この手摺り５は、支持枠２に固定した複数の支柱稼動外管２３と、複数の支柱稼動外管２３に対してそれぞれ挿通配置して上下に可動する複数の手摺り支柱部５１と、複数の手摺り支柱部５１に対してそれぞれ角度が任意に変えられる継ぎ手５２１を介して連結した手摺り本体部５２とを有している。支柱稼動外管２３及び手摺り支柱部５１は、歩行方向Ｌに並ぶよう一対に設けてあり、手摺り本体部５２は、その両端部が継ぎ手５２１によって手摺り支柱部５１に連結されている。また、支柱稼動外管２３は、下部フレーム２１と上部フレーム２２との間に掛け渡されている。
【００２４】
そして、踏み板４の配置高さに応じて、支持枠２の左右において、一対の支柱稼動外管２３に対して一対の手摺り支柱部５１の上下位置を調整して、手摺り本体部５２の配設角度を決定し、支柱稼動外管２３に設けた締付けボルトによって手摺り支柱部５１の上下位置を固定して、手摺り本体部５２の角度を固定する。これにより、踏み板４の高さに合わせて、手摺り本体部５２によるグリップラインを任意に変更することができる。
【００２５】
踏み板４のすべては、歩行方向Ｌの一方端部４０１（分離部材４２）の左右位置及び歩行方向Ｌの他方端部４０２の左右位置の４箇所において支柱３に支持してある。各踏み板４は、ナット３１を緩めて上下させた後、再びナット３１を締め付けることによって、容易に上下方向Ｈの位置を変更、調整することができる。
また、各踏み板４（本体部材４１及び分離部材４２）は、支柱３を構成する寸切りボルトから簡単に取り外すことができ、簡単に再配設することができるよう構成されている。
【００２６】
図３に示すごとく、各踏み板４においては、本体部材４１における他方端部４０２の左右位置と、分離部材４２における左右位置とに、支柱３を通す切欠穴４４が左右方向の外側から設けてある。そして、踏み板４の高さを調整した後には、踏み板４の上下に位置するナット３１には、安全ピンを掛け渡しておく。これにより、利用者が左右の手摺り本体部５２を押し広げたときに、切欠穴４４が支柱３から外れて、踏み板４が支柱３から外れてしまうことを防止することができる。
【００２７】
図４に示すごとく、各踏み板４は、本体部材４１と分離部材４２とが同一面を形成する状態Ａにおいては、本体部材４１と分離部材４２とが互いに対向する面４５においてネジによって連結されて構成されている。そして、各踏み板４は、隣接する踏み板４同士の上下位置を合わせる状態Ｂにおいては、いずれかの踏み板４における分離部材４２を本体部材４１から分離し、この本体部材４１を隣接する踏み板４の本体部材４１と連結して構成される。
【００２８】
本例の無段階調整階段ユニット１においては、複数の踏み板４を、支柱３に対する任意の上下位置において固定可能としている。これにより、任意の高さの段差に対して、複数の踏み板４の高さを任意に調整することができる。また、利用者の身長等の体型に合わせて、複数の踏み板４の高さを任意に調整することもできる。
さらに、場合によっては、例えば、図５に示すごとく、中間に位置する第２踏み板４Ｂを最も高く調整し、その両側の第１踏み板４Ａ及び第３踏み板４Ｃを、第２踏み板４Ｂよりも低い高さに調整することもできる。
【００２９】
また、本例においては、踏み板４における構造上の工夫により、踏み板４同士の高さを合わせることができるようにしている。具体的には、各踏み板４における歩行方向Ｌの一方端部４０１は、各踏み板４の本体部材４１に対して分離可能に取り付けた分離部材４２によって構成してある。この分離部材４２は、通常は（１つの踏み板４によって１段の階段を形成する状態Ａにおいては）、本体部材４１と横方向に並んで同一面を形成している。このとき、本体部材４１と分離部材４２とによって、踏み板４の歩行方向Ｌにおける奥行き寸法を適切に確保することができる。
【００３０】
これに対し、例えば、第２踏み板４Ｂと第３踏み板４Ｃとの上下位置を合わせる場合には、図４に示すごとく、第２踏み板４Ｂにおける分離部材４２を、第２踏み板４Ｂにおける本体部材４１から分離し、この本体部材４１を第３踏み板４Ｃにおける本体部材４１と連結する。これにより、第２踏み板４Ｂと第３踏み板４Ｃとの高さを揃えたときには、これらの踏み板４の歩行方向Ｌにおける奥行き寸法を長くすることができる。
【００３１】
また、図示は省略するが、第１踏み板４Ａと第２踏み板４Ｂとの上下位置を合わせる場合についても、上記と同様である。また、例えば、第１踏み板４Ａ、第２踏み板４Ｂ及び第３踏み板４Ｃのすべての上下位置を合わせて、踏み板４の全体をフラットな面にすることもできる。なお、第３踏み板４Ｃは、本体部材４１と分離部材４２とから構成せず、１つの部材から構成することもできる。
また、本例においては、３つの踏み板４を有する無段階調整階段ユニット１について説明したが、例えば、２つの踏み板４を有する場合、４つの踏み板４を有する場合についても、上記と同様の構造を採用することができる。
【００３２】
それ故、本例の無段階調整階段ユニット１によれば、踏み板４の高さを任意に調整することができると共に、踏み板４同士の高さも揃えることができ、種々の階段の用途に、柔軟に対応することができる。
【００３３】
また、本例の無段階調整階段ユニット１は、その構造が簡単であり、病院、施設等において、踏み台昇降を行った後の心拍数を計測する際に、あるいは介護者のリハビリ訓練を行う際に、極めて低コストで導入することができる。また、無段階調整階段ユニット１は、住宅における段差を緩和させる際にも、極めて低コストで導入することができる。
また、本例の無段階調整階段ユニット１は、電気的構成を有しておらず、その構造が極めて簡単である。そのため、支持枠２、支柱３、踏み板４、手摺り５等の各部材を分解して梱包しておき、これを購入した者によって組み立てる組立式のユニットとして構成することができる。
【００３４】
（実施例２）
本例は、図６に示すごとく、各踏み板４の分離部材４２を、本体部材４１と同一面を形成する状態から本体部材４１に対して段差状に下がった位置に付け替えて、隣接する踏み板４同士の上下位置を合わせることができるよう構成した例である。
より具体的には、本例の無段階調整階段ユニット１は、第１踏み板４Ａにおける分離部材４２を、本体部材４１と同一面を形成する状態Ａから本体部材４１に対して段差状に下がった位置Ｂに付け替えたときには、第１踏み板４Ａと第２踏み板４Ｂとの上下位置を合わせることができ、また、第２踏み板４Ｂにおける分離部材４２を、本体部材４１と同一面を形成する状態Ａから本体部材４１に対して段差状に下がった位置Ｂに付け替えたときには、第２踏み板４Ｂと第３踏み板４Ｃとの上下位置を合わせることができるよう構成してある。
【００３５】
本例の各踏み板４は、踏み板４同士の上下位置を合わせる状態Ｂにおいては、本体部材４１における一方端部４０１の下部に固定した連結用部材４３（本例ではアングル部材）に対し、分離部材４２を固定して構成される。分離部材４２は、支柱３を構成する寸切りボルトから簡単に取り外すことができ、簡単に再配設することができるよう構成されている。
そして、例えば、第２踏み板４Ｂと第３踏み板４Ｃとの上下位置を合わせる場合には、図６に示すごとく、第２踏み板４Ｂにおける分離部材４２を、第２踏み板４Ｂにおける本体部材４１から一旦分離し、この本体部材４１に対して段差状に下がった位置Ｂに付け替える。
【００３６】
このとき、第２踏み板４Ｂにおける本体部材４１の一方端部４０１であって分離部材４２の上方には、配置スペースＳが形成される。これにより、第２踏み板４Ｂと第３踏み板４Ｃとの上下位置を合わせる場合には、第２踏み板４Ｂにおける配置スペースＳに対して、第３踏み板４Ｃにおける歩行方向Ｌの他方端部４０２を上方から配置することができる。そして、第２踏み板４Ｂと第３踏み板４Ｃとの高さを揃えたときには、これらの踏み板４の歩行方向Ｌにおける奥行き寸法を長くすることができる。
本例においても、その他の構成は上記実施例１と同様であり、上記実施例１と同様の作用効果を得ることができる。
【符号の説明】
【００３７】
１  無段階調整階段ユニット
２  支持枠
２１  下部フレーム
２２  上部フレーム
３  支柱（寸切りボルト）
３１  ナット
４Ａ  第１踏み板
４Ｂ  第２踏み板
４Ｃ  第３踏み板
４０１  一方端部
４０２  他方端部
４１  本体部材
４２  分離部材
５  手摺り
Ｌ  歩行方向
Ｈ  上下方向
Ｓ  配置スペース
【図１】
2011042940.tif 000003
【図２】
2011042940.tif 000004
【図３】
2011042940.tif 000005
【図４】
2011042940.tif 000006
【図５】
2011042940.tif 000007
【図６】
2011042940.tif 000008